(57)【要約】      （修正有）【課題】一対の上側内フラップの垂れ下がりを防止することで、包装箱内に収容された物品の傷付きを防止できる箱用シートを提供する。【解決手段】箱用シートは、左右方向の一方側から他方側に連接され、組立時に四角筒状部を構成する第１側面パネル乃至第４側面パネルと、第１側面パネル１及び第３側面パネルの上縁から延出する一対の上側内フラップ５と、第２側面パネル２及び第４側面パネルの上縁から延出する一対の上側外フラップ７，８とを備え、一対の上側内フラップの幅が、第１側面パネル及び第３側面パネルの左右方向長さより大きく、一対の上側内フラップと第１側面パネル及び第３側面パネルとの連接部の両端から左右方向内側に伸びる各一対の第１スリット１４が形成され、かつ各一対の第１スリットの先端から連接部の左右方向内側かつ一対の上側内フラップの延出方向先端側に伸びる第２スリット１５が形成されている。【選択図】図３
0003207852.tif 000002
【実用新案登録請求の範囲】
【請求項１】
１枚のシートからなり、
左右方向の一方側から他方側に連接され、組立時に四角筒状部を構成する第１側面パネル、第２側面パネル、第３側面パネル及び第４側面パネルと、
上記第１側面パネル及び第３側面パネルの上縁から延出する一対の上側内フラップと、
上記第２側面パネル及び第４側面パネルの上縁から延出する一対の上側外フラップと
を備え、箱型に組み立て可能な箱用シートであって、
上記一対の上側内フラップの幅が、第１側面パネル及び第３側面パネルの左右方向長さより大きく、
上記一対の上側内フラップと上記第１側面パネル及び第３側面パネルとの連接部の両端から左右方向内側に伸びる各一対の第１スリットが形成され、かつこれらの各一対の第１スリットの先端から上記連接部の左右方向内側かつ上記一対の上側内フラップの延出方向先端側に伸びる第２スリットが形成されている箱用シート。
【請求項２】
シート厚さに対する上記一対の上側内フラップの第１側面パネル及び第３側面パネルの各側縁からの平均突出長さの比が０．０５以上１．５以下であり、
上記平均突出長さに対する上記第１スリットの平均長さの比が２以上６以下である請求項１に記載の箱用シート。
【請求項３】
左右方向に対する上記第２スリットの傾斜角度が３０°以上６０°以下であり、
シート厚さに対する上記第２スリットの長さの比が０．５以上３以下である請求項１又は請求項２に記載の箱用シート。
【請求項４】
上記上側内フラップ及び上側外フラップの合計幅が、上記第２側面パネル及び第３側面パネルの左右方向の合計長さと等しい請求項１、請求項２又は請求項３に記載の箱用シート。
【請求項５】
上記第１側面パネル及び第３側面パネルの下縁から延出する一対の下側内フラップ、並びに上記第２側面パネル及び第４側面パネルの下縁から延出する一対の下側外フラップを有し、
上記一対の下側内フラップ及び一対の下側外フラップの側縁の延出方向基端側が第１側面パネル乃至第４側面パネルの側縁から連続して下方に伸びている請求項１から請求項４のいずれか１項に記載の箱用シート。
【考案の詳細な説明】
【技術分野】
【０００１】
本考案は、箱用シートに関する。
【背景技術】
【０００２】
包装箱用シートとして、左右方向に連接され、組立時に四角筒状部を構成する４つの側面パネルと、対向する一対の側面パネルの上縁から延出する一対の上側内フラップと、対向する他対の側面パネルの上縁から延出する一対の上側外フラップとを有する段ボールシートが用いられている（特開２００５−２３９１７４号公報参照）。この包装箱用シートを組み立ててなる包装箱は、四角筒状部を形成した状態で一対の上側内フラップを内側に折り曲げ、さらに一対の上側外フラップを内側に折り曲げて先端同士を突き合わせることで蓋部が形成される。
【先行技術文献】
【特許文献】
【０００３】
【特許文献１】特開２００５−２３９１７４号公報
【考案の概要】
【考案が解決しようとする課題】
【０００４】
しかしながら、この包装箱は、一対の上側外フラップの先端同士が突き合わされることで四角筒状部の上部開口が封止される一方、一対の上側内フラップは、先端側を斜め下側に向けた状態で垂れ下がりやすい。そのため、この包装箱では、一対の上側内フラップによって包装箱内に収容された物品が傷つきやすい。
【０００５】
本考案は、このような不都合に鑑みてなされたものであり、一対の上側内フラップの垂れ下がりを防止することで、包装箱内に収容された物品の傷付きを防止することができる箱用シートを提供することを課題とする。
【課題を解決するための手段】
【０００６】
上記課題を解決するためになされた本考案に係る箱用シートは、１枚のシートからなり、左右方向の一方側から他方側に連接され、組立時に四角筒状部を構成する第１側面パネル、第２側面パネル、第３側面パネル及び第４側面パネルと、上記第１側面パネル及び第３側面パネルの上縁から延出する一対の上側内フラップと、上記第２側面パネル及び第４側面パネルの上縁から延出する一対の上側外フラップとを備え、箱型に組み立て可能な箱用シートであって、上記一対の上側内フラップの幅が、第１側面パネル及び第３側面パネルの左右方向長さより大きく、上記一対の上側内フラップと上記第１側面パネル及び第３側面パネルとの連接部の両端から左右方向内側に伸びる各一対の第１スリットが形成され、かつこれらの各一対の第１スリットの先端から上記連接部の左右方向内側かつ上記一対の上側内フラップの延出方向先端側に伸びる第２スリットが形成されている。
【０００７】
当該箱用シートは、一対の上側内フラップの幅が、この一対の上側内フラップが連接される第１側面パネル及び第３側面パネルの左右方向長さより大きいので、包装箱に組み立てられた状態で一対の上側内フラップの両側縁が第２側面パネル及び第４側面パネルの内面に圧接される。そのため、当該箱用シートは、組立状態で一対の上側内フラップを一対の上側外フラップの下側に沿わせた状態で安定的に保持することができ、これにより一対の上側内フラップの垂れ下がりを防止することで、包装箱内に収容された物品の傷付きを防止することができる。また特に、当該箱用シートは、一対の上側内フラップと第１側面パネル及び第３側面パネルとの連接部の両端から左右方向内側に伸びる各一対の第１スリットが形成され、かつこの各一対の第１スリットの先端から上記連接部の左右方向内側かつ上記一対の上側内フラップの延出方向先端側に伸びる第２スリットが形成されているので、一対の上側外フラップを内側に折り曲げてこの一対の上側外フラップの先端同士を突き合せた状態で、一対の上側外フラップの幅方向の両端部が下方に少し凹むので一対の上側外フラップによる一対の上側内フラップの保持状態が安定化する。さらに、当該箱用シートは、一対の上側内フラップと第１側面パネル及び第３側面パネルとの連接部の両端から左右方向内側に伸びる各一対の第１スリットが形成され、かつこの各一対の第１スリットの先端から上記連接部の左右方向内側かつ上記一対の上側内フラップの延出方向先端側に伸びる第２スリットが形成されていることで、第２側面パネル及び第４側面パネルから一対の上側内フラップに加わる応力を逃がすことができるので、一対の上側内フラップが破断し難い。
【０００８】
シート厚さに対する上記一対の上側内フラップの第１側面パネル及び第３側面パネルの各側縁からの平均突出長さの比としては０．０５以上１．５以下が好ましく、上記平均突出長さに対する上記第１スリットの平均長さの比としては２以上６以下が好ましい。このように、シート厚さに対する上記一対の上側内フラップの第１側面パネル及び第３側面パネルの各側縁からの平均突出長さの比、及び上記平均突出長さに対する上記第１スリットの平均長さの比が上記範囲内であることによって、一対の上側外フラップを内側に折り曲げてこの一対の上側外フラップの先端同士を突き合せた状態で、一対の上側外フラップの幅方向の両端部が下方に適度に凹むので、一対の上側外フラップによる一対の上側内フラップの保持状態がより安定化する。
【０００９】
左右方向に対する上記第２スリットの傾斜角度としては３０°以上６０°以下が好ましく、シート厚さに対する上記第２スリットの長さの比としては０．５以上３以下が好ましい。このように、左右方向に対する上記第２スリットの傾斜角度、及びシート厚さに対する上記第２スリットの長さの比が上記範囲内であることによって、第２側面パネル及び第４側面パネルから一対の上側内フラップに加わる応力をより的確に逃がすことができるので、一対の上側内フラップが破断し難い。
【００１０】
上記上側内フラップ及び上側外フラップの合計幅が、上記第２側面パネル及び第３側面パネルの左右方向の合計長さと等しいとよい。これにより、一対の上側内フラップ及び一対の上側外フラップの幅を十分に確保することができる。また、上記上側内フラップ及び上側外フラップ形成時に切り屑が出ないので、製造効率を高めることができる。
【００１１】
上記第１側面パネル及び第３側面パネルの下縁から延出する一対の下側内フラップ、並びに上記第２側面パネル及び第４側面パネルの下縁から延出する一対の下側外フラップを有し、上記一対の下側内フラップ及び一対の下側外フラップの側縁の延出方向基端側が第１側面パネル乃至第４側面パネルの側縁から連続して下方に伸びているとよい。このように、上記第１側面パネル及び第３側面パネルの下縁から延出する一対の下側内フラップ、並びに上記第２側面パネル及び第４側面パネルの下縁から延出する一対の下側外フラップを有し、上記一対の下側内フラップ及び一対の下側外フラップの側縁の延出方向基端側が第１側面パネル乃至第４側面パネルの側縁から連続して下方に伸びていることによって、組立状態で上記一対の下側内フラップ及び一対の下側外フラップによって形成される底部の形状を矩形状に保持しやすい。その結果、組立状態で一対の上側内フラップが第２側面パネル及び第４側面パネルの内面に圧接された状態を安定的に保ちやすい。
【００１２】
なお、本考案において、「左右方向」とは、箱用シートを組み立ててなる包装箱の想定される一般的な使用態様における水平方向をいい、「上」及び「下」とは、想定される一般的な使用態様における上下を意味するが、上記包装箱の使用時の向きを制限することを企図するものではない。
【考案の効果】
【００１３】
以上説明したように、本考案に係る箱用シートは、一対の上側内フラップの垂れ下がりを防止することで、包装箱内に収容された物品の傷付きを防止することができる。
【図面の簡単な説明】
【００１４】
【図１】本考案の一実施形態に係る箱用シートを示す模式的平面図である。
【図２】図１の箱用シートの模式的部分拡大図である。
【図３】図１の箱用シートの蓋部の組立手順を示す模式的斜視図である。
【図４】図１の箱用シートの底部の組立手順を示す模式的底面図である。
【考案を実施するための形態】
【００１５】
以下、適宜図面を参照しつつ、本考案の実施の形態を詳説する。
【００１６】
［第一実施形態］
＜箱用シート＞
図１の箱用シートは、１枚のシートからなる。当該箱用シートは、左右方向の一方側から他方側に連接され、組立時に四角筒状部を構成する第１側面パネル１、第２側面パネル２、第３側面パネル３及び第４側面パネル４と、第１側面パネル１及び第３側面パネル３の上縁から延出する一対の上側内フラップ５，６と、第２側面パネル２及び第４側面パネル４の上縁から延出する一対の上側外フラップ７，８とを備え、箱型に組み立て可能に構成されている。また、当該箱用シートは、第１側面パネル１及び第３側面パネル３の下縁から延出する一対の下側内フラップ９，１０と、第２側面パネル２及び第４側面パネル４の下縁から延出する一対の下側外フラップ１１，１２と、第１側面パネル１の第２側面パネル２との連接側と反対側の端縁に連接される糊代部１３とを備える。
【００１７】
当該箱用シートに用いられるシートとしては、当該箱用シートを組み立ててなる包装箱の形状を維持できる程度の強度を有し、かつ適度な反発力を有している限り特に限定されるものではなく、例えば段ボールシート、厚紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。また、当該箱用シートのシート厚さとしては、例えば１ｍｍ以上８ｍｍ以下とすることができ、５ｍｍがより好ましい。
【００１８】
（側面パネル）
第１側面パネル１乃至第４側面パネル４は各々略方形状に形成されている。第１側面パネル１及び第３側面パネル３は略同形状に形成されている。また、第２側面パネル２及び第４側面パネル４は略同形状に形成されている。また、第１側面パネル１及び第３側面パネル３の左右方向長さは第２側面パネル２及び第４側面パネル４の左右方向長さよりも小さい。つまり、当該箱用シートは、第１側面パネル１及び第３側面パネル３が一対の短辺側面パネルとして構成され、第２側面パネル２及び第４側面パネル４が一対の長辺側面パネルとして構成されている。
【００１９】
第１側面パネル１乃至第４側面パネル４は、まず第１側面パネル１を第２側面パネル２の内面に折り重ね、続いて第４側面パネル４を第３側面パネル３の内面に折り重ね、糊代部１３を第４側面パネル４の内面に貼着することで無端状に接続される。第１側面パネル１乃至第４側面パネル４は、無端状に接続された状態で、第１側面パネル１及び第３側面パネル３が対向し、かつ第２側面パネル２及び第４側面パネル４が対向するように広げられることで四角筒状部を形成する。
【００２０】
第１側面パネル１乃至第４側面パネル４の上下方向長さは、当該箱用シートを組み立ててなる包装箱に収容する物品のサイズによって適宜設定可能であるが、例えば５ｃｍ以上３０ｃｍ以下とすることができる。第１側面パネル１及び第３側面パネル３の左右方向長さとしては、当該箱用シートを組み立ててなる包装箱に収容する物品のサイズによって適宜設定可能であるが、例えば１０ｃｍ以上４０ｃｍ以下とすることができる。また、第２側面パネル２及び第４側面パネル４の左右方向長さとしては、当該箱用シートを組み立ててなる包装箱に収容する物品のサイズによって適宜設定可能であるが、例えば１５ｃｍ以上６０ｃｍ以下とすることができる。
【００２１】
（上側フラップ）
一対の上側内フラップ５，６及び一対の上側外フラップ７，８は、第１側面パネル１乃至第４側面パネル４によって四角筒状部が形成され、かつ一対の下側内フラップ９，１０及び一対の下側外フラップ１１，１２によって底部が形成された状態で、一対の上側内フラップ５，６が内側に折り曲げられ、さらに一対の上側外フラップ７，８が内側に折り曲げられて互いの先端同士が突き合わされることで、当該箱用シートを組み立ててなる包装箱の蓋部を形成する。
【００２２】
一対の上側内フラップ５，６及び一対の上側外フラップ７，８は、各々略矩形状に形成されている。一対の上側内フラップ５，６は略同形状に形成されている。また、一対の上側外フラップ７，８は略同形状に形成されている。また、一対の上側内フラップ５，６及び一対の上側外フラップ７，８の延出方向長さは略等しい。一対の上側内フラップ５，６及び一対の上側外フラップ７，８の延出方向長さは、組立状態で一対の上側外フラップ７，８の先端同士が突き合わされるように第１側面パネル１及び第３側面パネル３の左右方向長さの略１／２とされている。
【００２３】
図１及び図２に示すように、一対の上側内フラップ５，６の幅（一対の上側内フラップ５，６の延出方向と垂直な方向の長さ）は、この一対の上側内フラップ５，６が連接される第１側面パネル１及び第３側面パネル３の左右方向長さよりも大きい。これにより、一対の上側内フラップ５，６の両側縁（幅方向の両端縁）は、この一対の上側内フラップ５，６が連接される第１側面パネル１及び第３側面パネル３の両側縁（左右方向の両端縁）よりも左右方向外側に突出している。また、一対の上側内フラップ５，６における第１側面パネル１及び第３側面パネル３の両側縁よりも左右方向外側に突出した複数の突出部分の突出長さは略等しい。
【００２４】
一対の上側内フラップ５，６と、一対の上側外フラップ７，８との境界は、第１側面パネル１乃至第４側面パネル４の連接部と平行方向に伸びる切断線によって画定されている。当該箱用シートは、この切断線が第２側面パネル２及び第４側面パネル４の上縁から形成されており、これにより一対の上側内フラップ５，６の幅が、この一対の上側内フラップ５，６が連接される第１側面パネル１及び第３側面パネル３の左右方向長さよりも大きくなるよう構成されている。
【００２５】
当該箱用シートは、一対の上側内フラップ５，６と第１側面パネル１及び第３側面パネル３との連接部の両端からこの連接部の左右方向内側に伸びる各一対の第１スリット１４が形成され、かつこれらの各一対の第１スリット１４の先端から上記連接部の左右方向内側かつ一対の上側内フラップ５，６の延出方向先端側に伸びる第２スリット１５が形成されている。
【００２６】
当該箱用シートは、上述のように、第１側面パネル１乃至第４側面パネル４によって四角筒状部が形成された状態で、一対の上側内フラップ５，６を内側に折り曲げ、さらに一対の上側外フラップ７，８を内側に折り曲げて互いの先端同士を突き合わせることで蓋部が形成される。ここで、当該箱用シートは、一対の上側内フラップ５，６の幅が、この一対の上側内フラップ５，６が連接される第１側面パネル１及び第３側面パネル３の左右方向長さよりも大きいので、一対の上側内フラップ５，６を内側に折り曲げた状態で、一対の上側内フラップ５，６の両側縁は第２側面パネル２及び第４側面パネル４の内面に圧接される。そのため、当該箱用シートは、組立状態で一対の上側内フラップ５，６を一対の上側外フラップ７，８の下側に沿わせた状態で安定的に保持することができ、これにより一対の上側内フラップ５，６の垂れ下がりを防止することで、包装箱内に収容された物品の傷付きを防止することができる。
【００２７】
また、当該箱用シートは、一対の上側内フラップ５，６と第１側面パネル１及び第３側面パネル３との連接部の両端からこの連接部の左右方向内側に伸びる各一対の第１スリット１４が形成され、かつこれらの各一対の第１スリットの先端から上記連接部の左右方向内側かつ一対の上側内フラップ５，６の延出方向先端側に伸びる第２スリット１５が形成されているので、図３に示すように、上側内フラップ５における側縁と第１スリット１４及び第２スリット１５とによって画定される基端側端部Ｘを第１側面パネル１における第１スリット１４の下側部分の内側に押し込んだ状態で保持することができる（なお、図３では図示していないが、上側内フラップ６における基端側端部についても同様に、第３側面パネル３における第１スリット１４の下側部分の内側に押し込んだ状態で保持することができる）。これにより、当該箱用シートは、一対の上側外フラップ７，８を内側に折り曲げてこの一対の上側外フラップ７，８の先端同士を突き合せた状態で、一対の上側外フラップ７，８の幅方向の両端部が下方に少し凹むので、一対の上側外フラップ７，８による一対の上側内フラップ５，６の保持状態が安定化する。さらに、かかる構成によると、第２側面パネル２及び第４側面パネル４から一対の上側内フラップ５，６に加わる応力を逃がすことができるので、一対の上側内フラップ５，６が破断し難い。
【００２８】
シート厚さに対する一対の上側内フラップ５，６の第１側面パネル１及び第３側面パネル３の各側縁からの幅方向の平均突出長さの比の下限としては、０．０５が好ましく、０．１がより好ましい。一方、上記比の上限としては、１．５が好ましく、０．９がより好ましく、０．５がさらに好ましい。上記比が上記下限に満たないと、当該箱用シートを組み立ててなる包装箱において一対の上側内フラップ５，６の両側縁を第２側面パネル２及び第４側面パネル４の内面によって十分に圧接することができないおそれがある。逆に、上記比が上記上限を超えると、一対の上側内フラップ５，６の幅が不要に大きくなり、一対の上側内フラップ５，６に押圧されることで第２側面パネル２及び第４側面パネル４が外側に膨らむことにより一対の上側外フラップ７，８の先端同士を突き合わせ難くなるおそれがある。
【００２９】
一対の上側内フラップ５，６の第１側面パネル１及び第３側面パネル３の各側縁からの平均突出長さに対する複数の第１スリット１４の平均長さの比の下限としては、２が好ましく、３がより好ましく、３．５がさらに好ましい。一方、上記比の上限としては、６が好ましく、５がより好ましい。上記比が上記下限に満たないと、第２側面パネル２及び第４側面パネル４から一対の上側内フラップ５，６に加わる応力を十分に吸収することができないおそれがある。逆に、上記比が上記上限を超えると、一対の上側内フラップ５，６の強度が不必要に低下するおそれがある。
【００３０】
また、当該箱用シートは、シート厚さに対する一対の上側内フラップ５，６の第１側面パネル１及び第３側面パネル３の各側縁からの平均突出長さの比、及び上記平均突出長さに対する第１スリット１４の平均長さの比が共に上記範囲内であることが好ましい。当該箱用シートは、シート厚さに対する一対の上側内フラップ５，６の第１側面パネル１及び第３側面パネル３の各側縁からの平均突出長さの比、及び上記平均突出長さに対する第１スリット１４の平均長さの比が共に上記範囲内であることによって、一対の上側外フラップ７，８を内側に折り曲げてこの一対の上側外フラップ７，８の先端同士を突き合せた状態で、一対の上側外フラップ７，８の幅方向の両端部が下方に適度に凹むので、一対の上側外フラップ７，８による一対の上側内フラップ５，６の保持状態がより安定化する。
【００３１】
左右方向（第１側面パネル１及び第３側面パネル３の上縁）に対する第２スリット１５の傾斜角度の下限としては、３０°が好ましく、４０°がより好ましい。一方、上記傾斜角度の上限としては、６０°が好ましく、５０°がより好ましい。さらに、上記傾斜角度としては４５°が最も好ましい。上記傾斜角度が上記下限に満たないと、第２側面パネル２及び第４側面パネル４から一対の上側内フラップ５，６に加わる応力によって、第２スリット１５の先端側（第１スリット１４との連接部の反対側）が破断しやすくなるおそれがある。逆に、上記傾斜角度が上記上限を超えると、第２側面パネル２及び第４側面パネル４から一対の上側内フラップ５，６に加わる応力によって、第１スリット１４及び第２スリット１５の連接部が破断しやすくなるおそれがある。
【００３２】
シート厚さに対する第２スリット１５の長さの比の下限としては、０．５が好ましく、０．７がより好ましい。一方、上記比の上限としては、３が好ましく、２がより好ましい。上記比が上記下限に満たないと、基端側端部Ｘを第１側面パネル１及び第３側面パネル３における第１スリット１４の下側部分に押し込み難くなるおそれがある。逆に、上記比が上記上限を超えると、一対の上側内フラップ５，６の強度が不必要に低下するおそれがある。
【００３３】
また、当該箱用シートは、左右方向に対する第２スリット１５の傾斜角度、及びシート厚さに対する第２スリット１５の長さの比が共に上記範囲内であることが好ましい。当該箱用シートは、左右方向に対する第２スリット１５の傾斜角度、及びシート厚さに対する上記第２スリット１５の長さの比が上記範囲内であることによって、第２側面パネル２及び第４側面パネル４から一対の上側内フラップ５，６に加わる応力を的確に逃がすことができるので、一対の上側内フラップ５，６が破断し難い。
【００３４】
一対の上側内フラップ５，６及び一対の上側外フラップ７，８は、上述の切断線を介して幅方向に連続して設けられている。これにより、当該箱用シートは、一対の上側内フラップ５，６の幅方向における突出部分の突出長さ分だけ、この突出部分と隣接する一対の上側外フラップ７，８の側縁が中央側にオフセットされている。かかる構成により、当該箱用シートは、一つの上側内フラップ５，６及び一つの上側外フラップ７，８の合計幅が、第２側面パネル２及び第３側面パネル３の左右方向の合計長さと等しい。これにより、当該箱用シートは、一対の上側内フラップ５，６及び一対の上側外フラップ７，８の幅を十分に確保することができる。また、かかる構成によると、上側内フラップ５，６及び上側外フラップ７，８形成時に切り屑が出ないので、製造効率を高めることができる。
【００３５】
（下側フラップ）
一対の下側内フラップ９，１０及び一対の下側外フラップ１１，１２は、第１側面パネル１乃至第４側面パネル４によって四角筒状部が形成された状態で、一対の下側内フラップ９，１０が内側に折り曲げられ、さらに一対の下側外フラップ１１，１２が内側に折り曲げられて互いの先端同士が突き合わされることで、当該箱用シートを組み立ててなる包装箱の底部を形成する。
【００３６】
一対の下側内フラップ９，１０及び一対の下側外フラップ１１，１２は、各々略矩形状に形成されている。一対の下側内フラップ９，１０は略同形状に形成されている。また、一対の下側外フラップ１１，１２は略同形状に形成されている。また、一対の下側内フラップ９，１０及び一対の下側外フラップ１１，１２の延出方向長さは略等しい。一対の下側内フラップ９，１０及び一対の下側外フラップ１１，１２の延出方向長さは、組立状態で一対の下側外フラップ１１，１２の先端同士が突き合わされるように第１側面パネル１及び第３側面パネル３の左右方向長さの略１／２とされている。
【００３７】
一対の下側内フラップ９，１０及び一対の下側外フラップ１１，１２の側縁の延出方向基端側は、第１側面パネル１乃至第４側面パネル４の側縁から連続して下方に直線状に伸びている。さらに、一対の下側内フラップ９，１０及び一対の下側外フラップ１１，１２の延出方向先端側の境界は、延出方向先端縁から基端側にかけて形成されるスリットによって画定されている。
【００３８】
当該箱用シートは、一対の下側内フラップ９，１０及び一対の下側外フラップ１１，１２の側縁の延出方向基端側が第１側面パネル１乃至第４側面パネル４の側縁から連続して下方に伸びているので、図４に示すように、当該箱用シートから包装箱を組み立てる際に、一対の下側内フラップ９，１０の基端側が第２側面パネル２及び第４側面パネル４の内面に当接する。これにより、当該箱用シートから組み立てられる包装箱は、第１側面パネル１乃至第４側面パネル４の下部開口が矩形状に保たれやすい。その結果、当該箱用シートは、組立状態で一対の上側内フラップ５，６が第２側面パネル２及び第４側面パネル４の内面に圧接された状態を安定的に保ちやすい。また、当該箱用シートは、一対の下側内フラップ９，１０及び一対の下側外フラップ１１，１２の側縁の延出方向基端側が第１側面パネル１乃至第４側面パネル４の側縁から連続して下方に伸びているので、第１側面パネル１乃至第４側面パネル４の下部開口を的確に密閉することができるので、包装箱の外観を向上すると共に及び強度を高めやすい。
【００３９】
＜利点＞
当該箱用シートは、一対の上側内フラップ５，６の幅が、この一対の上側内フラップ５，６が連接される第１側面パネル１及び第３側面パネル３の左右方向長さより大きいので、組立状態で一対の上側内フラップ５，６を一対の上側外フラップ７，８の下側に沿わせた状態で安定的に保持することができ、これにより一対の上側内フラップ５，６の垂れ下がりを防止することで、包装箱内に収容された物品の傷付きを防止することができる。また特に、当該箱用シートは、一対の上側内フラップ５，６と第１側面パネル１及び第３側面パネル３との連接部の両端から左右方向内側に伸びる各一対の第１スリット１４が形成され、かつこの各一対の第１スリット１４の先端から上記連接部の左右方向内側かつ一対の上側内フラップ５，６の延出方向先端側に伸びる第２スリット１５が形成されているので、一対の上側外フラップ７，８による一対の上側内フラップ５，６の保持状態が安定化する。さらに、かかる構成によると、一対の上側内フラップ５，６が破断し難い。加えて、当該箱用シートは、基端側端部Ｘが第１側面パネル１及び第３側面パネル３の第１スリット１４の下側部分の内側に押し込んだ状態で保持されることで、組立状態で一対の上側内フラップ５，６の突出部分が外部から視認され難いので、外観を向上することができる。
【００４０】
［その他の実施形態］
なお、本考案に係る箱用シートは、上記態様の他、種々の変更、改良を施した態様で実施することができる。例えば当該箱用シートは、上側内フラップ及び上側外フラップの合計幅が、第２側面パネル及び第３側面パネルの左右方向の合計長さと等しくなくてもよい。当該箱用シートは、例えば一対の上側内フラップ及び一対の上側外フラップの境界が一定幅を有するスリットによって形成されていてもよく、この場合上側内フラップ及び上側外フラップの合計幅は第２側面パネル及び第３側面パネルの左右方向の合計長さよりスリットに対応する幅だけ小さくなる。
【００４１】
上記第１側面パネル乃至第４側面パネルの下縁から延出する下側フラップの具体的構成は、組立状態で底部を形成可能である限り特に限定されるものではない。
【産業上の利用可能性】
【００４２】
以上のように、本考案の箱用シートは、一対の上側内フラップの垂れ下がりを防止することで、包装箱内に収容された物品の傷付きを防止することができるので、物品の保管用、運搬用等の箱用シートとして適している。
【符号の説明】
【００４３】
１  第１側面パネル
２  第２側面パネル
３  第３側面パネル
４  第４側面パネル
５，６  上側内フラップ
７，８  上側外フラップ
９，１０  下側内フラップ
１１，１２  下側外フラップ
１３  糊代部
１４  第１スリット
１５  第２スリット
Ｘ  基端側端部
【図１】
0003207852.tif 000003
【図２】
0003207852.tif 000004
【図３】
0003207852.tif 000005
【図４】
0003207852.tif 000006